【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
整形外科システムであって、
外側面、および、長手方向の穿孔および面の外郭を定める内側面が設けられている第１のスリーブ部材と、
外側面、および、長手方向の穿孔の外郭を定める内側面が設けられている第２のスリーブ部材とを備えており、第２のスリーブ部材はその少なくとも一部が第１のスリーブ部材の穿孔の内側に受け入れられるような形状になっており、
第１のスリーブ部材と第２のスリーブ部材のうちの一方の長手方向の穿孔の形状は、その中にドリルビットを受け入れて骨に穴を穿つことができるように設定されており、第１のスリーブ部材と第２のスリーブ部材のうちの一方には突起部が設けられており、他方には前記突起部に対応する陥凹部が設けられており、第２のスリーブ部材の少なくとも一部が第１のスリーブ部材の穿孔の内側に受け入れられると、突起部と陥凹部は協働して、第１のスリーブ部材と第２のスリーブ部材を一緒に一時的に軸線方向にロックし、第１のスリーブ部材と第２のスリーブ部材の間に軸線方向の分離力を付与し、更に、第２のスリーブ部材の少なくとも一部に放射方向の力を付与して与圧することにより、第２のスリーブ部材は第１のスリーブ部材から切り離すことができる、
ことを特徴とする整形外科システム。
【請求項２】
前記第１のスリーブ部材と前記第２のスリーブ部材は、各々に、フランジ部材を有している近位端と先細り状の先端領域を有している遠位端とが設けられていることを特徴とする、請求項１に記載のシステム。
【請求項３】
前記第１のスリーブ部材の長手方向の穿孔は、その中を通してドライバと骨締め具を受け入れることで骨の長手方向軸線に沿った方向へ締め具を穴の中に挿入することができるような形状になっていることを特徴とする、請求項２に記載のシステム。
【請求項４】
前記第１のスリーブ部材および第２のスリーブ部材のうちの少なくとも一方の先細り状の先端部は、骨固定部材に設けた締め具穴と整合するような構成になっていることを特徴とする、請求項３に記載のシステム。
【請求項５】
前記骨固定部材は骨プレートまたは髄内釘であることを特徴とする、請求項４に記載のシステム。
【請求項６】
前記突起部は少なくとも１個の周方向の畝状部を含んでいることを特徴とする、請求項１に記載のシステム。
【請求項７】
前記陥凹部は、前記少なくとも１個の畝状部に対応する少なくとも１個の周方向の溝を含んでいることを特徴とする、請求項６に記載のシステム。
【請求項８】
前記突起部には、第１の先細り面と第２の先細り面が更に設けられていることを特徴とする、請求項７に記載のシステム。
【請求項９】
前記第２のスリーブ部材には、その内側面と外側面の間に少なくとも１個の長手方向のスロットが配置されており、前記スロットはスリーブの少なくとも一方端から延びて、或る長さを有しており、更にスロットは、スリーブの少なくとも一部に放射方向に撓み性を持たせるような構成になっていることを特徴とする、請求項７に記載のシステム。
【請求項１０】
前記少なくとも1個のスロットは前記スリーブの第１端を分割して第１の半部および第２の半部に区分けし、第１の半部と第２の半部を互いに向けて押圧し合うことで前記畝状部を前記陥凹部から切り離し、それにより、前記第１のスリーブ部材と前記第２のスリーブ部材が互いに軸線方向に係合し、または、互いから係合解除されるようにすることができることを特徴とする、請求項９に記載のシステム。
【請求項１１】
前記第２のスリーブ部材はその周囲を廻って、２本の長手方向のスロットが互いに関して正反対の位置に配置されていることを特徴とする、請求項９に記載のシステム。
【請求項１２】
前記突起部には少なくとも１個の先細り面が設けられており、その形状は、第２のスリーブ部材が第１のスリーブ部材の穿孔に挿入されると第２のスリーブ部材に容易に放射方向与圧することができるように設定されていることを特徴とする、請求項６に記載のシステム。
【請求項１３】
前記第１のスリーブ部材の外側面の形状は、髄内釘の照準アームの穿孔の内側に受け入れられて、髄内釘の一部に設けられた標的締め具穴とスリーブを整合させることができるように設定されていることを特徴とする、請求項１に記載のシステム。
【請求項１４】
整形外科システムであって、
近位端および遠位端と、長手方向軸線と、内側面および外側面とが設けられた第１スリーブと、
近位端および遠位端と、長手方向軸線と、内側面および外側面とが設けられて第２のスリーブとを備えており、内側面は第１のスリーブの少なくとも一部を受け入れるような形状に設定されており、内側面は更に、骨に穿たれた穴に締め具を挿入するための骨締め具とドライバを受け入れるような形状に設定されており、
第１のスリーブと第２のスリーブのうちの少なくとも一方の内側面は、骨に穴を穿つためのドリルビットを受け入れるような形状に設定されており、第１のスリーブの少なくとも一部は、第２のスリーブ部材の少なくとも一部の内側に滑動自在に受け入れられ、第２のスリーブの内側面と第１のスリーブの外側面のうちの一方には突起部が設けられ、他方には前記突起部に対応する陥凹部が設けられて、第１のスリーブが第２のスリーブの内側に受け入れられると、突起部と陥凹部が協働して、第１のスリーブを第２のスリーブと着脱自在に軸線方向に係合させるようになっており、第１のスリーブと第２のスリーブの間に軸線方向の分離力を付与し、また、第１のスリーブの少なくとも一部に放射方向の与圧をすることにより、両スリーブは互いから切り離すことができる、
ことを特徴とするシステム。
【請求項１５】
前記第１のスリーブおよび前記第２のスリーブは、各々に、フランジ部材を有する近位端と先細り状の先端領域を有する遠位端とが設けられることを特徴とする、請求項１４に記載のシステム。
【請求項１６】
前記第１のスリーブおよび第２のスリーブのうちの少なくとも一方の前記先細り状の先端部は、骨固定部材に設けた締め具穴と整合するような構成になっていることを特徴とする、請求項１５に記載のシステム。
【請求項１７】
前記骨固定部材は骨プレートまたは髄内釘であることを特徴とする、請求項１６に記載のシステム。
【請求項１８】
前記突起部は複数の非連続的な突起部材から構成されることを特徴とする、請求項１７に記載のシステム。
【請求項１９】
前記突起部は、少なくとも１個の周方向の畝状部を含んでいることを特徴とする、請求項１４に記載のシステム。
【請求項２０】
前記陥凹部は、前記少なくとも１個の畝状部に対応する少なくとも１個の周方向の溝を含んでいることを特徴とする、請求項１９に記載のシステム。
【請求項２１】
前記突起部には、第１の先細り面と第２の先細り面が設けられており、それらの形状は前記第２のスリーブの内側面の一部に嵌合するように設定されることを特徴とする、請求項２０に記載のシステム。
【請求項２２】
第１のスリーブは、その内側面と外側面の間に少なくとも１個の長手方向のスロットが配置されており、前記スロットはスリーブの少なくとも一方の端部から延びて、或る長さを有しており、更にスロットは、スリーブの少なくとも一部に放射方向に撓み性を持たせるような形状に設定されることを特徴とする、請求項２１に記載のシステム。
【請求項２３】
前記少なくとも１本のスロットは前記第１のスリーブの第１端を分割して第１の半部と第２の半部に区分けし、第１のスリーブが第２のスリーブの内側に十分に受け入れられると、第１の半部と第２の半部を互いに向けて押圧させることで前記陥凹部から前記畝状部を切り離し、それにより、第１のスリーブを第２のスリーブから取り外せるようにしたことを特徴とする、請求項２２に記載のシステム。
【請求項２４】
前記第１のスリーブが前記第２のスリーブに挿入されると、前記第１の先細り面が前記第２のスリーブの内側面と協働して、第１の半部と第２の半部に一緒に放射方向に与圧することを特徴とする、請求項２３に記載のシステム。
【請求項２５】
前記第１のスリーブは、その周囲を廻って、２本の長手方向のスロットが互いに関して正反対の位置に配置されることを特徴とする、請求項２２に記載のシステム。
【請求項２６】
前記突起部には少なくとも１個の先細り面が設けられており、その形状は、第１のスリーブが第２のスリーブの穿孔に挿入された際に、第１のスリーブ部材に容易に放射方向に与圧することができるように設定されることを特徴とする、請求項２５に記載のシステム。
【請求項２７】
前記第１のスリーブの外側面は、その形状が、髄内釘の照準アームの穿孔の内側に受け入れられて髄内釘の一部に設けられた標的となる締め具穴とスリーブを整合させるように設定されることを特徴とする、請求項１４に記載のシステム。